(57)【特許請求の範囲】
【請求項１】
少なくとも心臓直上部を被覆する状態で胸部に装着される心臓保護具であって、
胸部に対する当て付け部は、受止衝撃力を心臓直上部よりも心臓直上部から外れた部位へ直接的に伝達する状態で、心臓直上部から外れた部位を当て付け対象とする構成にし、
胸部の心臓直上部に対向配置される心臓直上部対向部位としての中央部位が、その側方の外縁部位よりも胸側とは反対側に位置する凸形状にするとともに、側面輪郭形状について、最も胸側とは反対側に位置する凸形状頂点部位が縦方向中心線よりも腹側に位置する形状に形成して、凸形状頂点部位より首側の首側方部分における凸形状頂点部位への上り傾斜が、凸形状頂点部位より腹側の腹側方部分における凸形状頂点部位への上り傾斜よりも緩やかになるようにしてある心臓保護具。
【請求項２】
胸部の心臓直上部に対向配置される心臓直上部対向部位の胸側に空間が形成される構成にしてある請求項１記載の心臓保護具。
【請求項３】
前記空間には、軟質の充填材を嵌装してある請求項２記載の心臓保護具。
【請求項４】
前記当て付け部の当て付け面を軟質の衝撃吸収材で構成してある請求項１〜３のいずれか１項に記載の心臓保護具。
【発明の詳細な説明】
【技術分野】
【０００１】
本発明は、心臓震盪の発症を抑止する目的で胸部に装着される心臓保護具に関するものである。
【背景技術】
【０００２】
近年、心臓への衝撃により心停止に至る心臓震盪という症状が注目されている。これは、衝撃により肋骨や胸骨が折れたり心臓の筋肉が損傷したりするなどの物理的障害により発症するのではなく、衝撃による心室細動という心臓の機能的障害により衝撃力の強弱にあまり関係なく発症することが知られている。
【０００３】
これまで、このような心臓震盪の発症を抑止することを目的とした心臓保護具は皆無であるが、例えば、野球又はソフトボールのキャッチャー用身体保護具（例えば、プロテクタやレガーツ）の構造を採用する、すなわち、少なくとも衝撃吸収対象となる胸部の心臓直上部の全面を当て付け対象とするウレタンなどの軟質の衝撃吸収材の外側に硬質プロテクタを積層接着して心臓保護具を構成することで、硬質プロテクタによる衝撃力の拡散作用と、衝撃吸収材による衝撃力の吸収作用とによって、心臓直上部への単位面積当たりの衝撃力を低減する程度のことは容易に想像できる。
【発明の開示】
【発明が解決しようとする課題】
【０００４】
しかし、キャッチャー用身体保護具の構造を採用する上記の如き心臓保護具のように、
単位面積当たりの衝撃力を低減するだけでは、衝撃力の強弱にあまり関係なく発症する心臓震盪の抑止に十分とはいえない。
【０００５】
また、単位面積当たりの衝撃力の低減効果を一層向上させるために、衝撃吸収材や硬質プロテクタの質量を大きくすれば、保護具全体としての質量や重量が大きくなって、着用者の動作に支障を来たしたり、着用時間が制限されたりするなどの虞もある。
【０００６】
この実情に鑑み、本発明の主たる課題は、装着時の着用者への影響を極力小さなものとしながらも、衝撃による心臓震盪の発症を効果的に抑止することのできる心臓保護具を提供する点にある。
【課題を解決するための手段】
【０００７】
本発明の第１特徴構成は心臓保護具に係り、その特徴は、
少なくとも心臓直上部を被覆する状態で胸部に装着される心臓保護具であって、
胸部に対する当て付け部は、受止衝撃力を心臓直上部よりも心臓直上部から外れた部位へ直接的に伝達する状態で、心臓直上部から外れた部位を当て付け対象とする構成にし、
胸部の心臓直上部に対向配置される心臓直上部対向部位としての中央部位が、その側方の外縁部位よりも胸側とは反対側に位置する凸形状にするとともに、側面輪郭形状について、最も胸側とは反対側に位置する凸形状頂点部位が縦方向中心線よりも腹側に位置する形状に形成して、凸形状頂点部位より首側の首側方部分における凸形状頂点部位への上り傾斜が、凸形状頂点部位より腹側の腹側方部分における凸形状頂点部位への上り傾斜よりも緩やかになるようにしてある点にある。
【０００８】
つまり、上記第１特徴構成であれば、胸部の心臓直上部から外れた部位を当て付け対象とする当て付け部を通じて、受止衝撃力を心臓直上部よりも心臓直上部から外れた部位へ直接的に伝達するから、質量や重量を特に増大することなしに、心臓直上部に伝達される衝撃力、或いは、心臓直上部に衝撃力が伝達される確率を効果的に低減することができ、これにより、装着時の着用者への影響を極力小さなものとしながらも心臓震盪の発症を効果的に抑止することができる。
【０００９】
本発明の第２特徴構成は、第１特徴構成の実施に好適な実施形態を特定するものであり、その特徴は、
胸部の心臓直上部に対向する心臓直上部対向部位の胸側に空間が形成される構成にしてある点にある。
【００１０】
つまり、上記第２特徴構成であれば、受止衝撃力により心臓直上部対向部位が胸側に変形ないし変位した場合でも、その心臓直上部対向部位の胸側に形成された空間の分だけ心臓直上部対向部位が心臓直上部に接触するのを抑止することができ、これにより、心臓直上部に伝達される衝撃力、或いは、心臓直上部に衝撃力が伝達される確率を一層効果的に低減することができる。
【００１１】
本発明の第３特徴構成は、第２特徴構成の実施に好適な実施形態を特定するものであり、その特徴は、
前記空間には、軟質の充填材を嵌装してある点にある。
【００１２】
つまり、上記第３特徴構成であれば、例えば、受止衝撃力により心臓直上部対向部位が破損した場合でも、軟質の充填材が胸部の保護材となって心臓直上部対向部位の破片で胸部が傷着くことを抑止することができるとともに、充填材と心臓直上部との接触により生じる摩擦抵抗によって、心臓直上部に対する心臓直上部対向部位の位置ズレを効果的に抑止することができるから、その心臓直上部対向部位の位置ズレにより、心臓直上部に伝達される衝撃力の低減効果、或いは、心臓直上部に衝撃力が伝達される確率の低減効果が損なわれるなどの不具合を効果的に抑止することができる。
【００１３】
本発明の第４特徴構成は、第１〜第３特徴構成の実施に好適な実施形態を特定するものであり、その特徴は、
前記当て付け部の当て付け面を軟質の衝撃吸収材で構成してある点にある。
【００１４】
つまり、上記第４特徴構成であれば、受止衝撃力の一部を当て付け部で吸収することができるから、その吸収分だけ心臓直上部対向部位に加わる衝撃力を低減することができ、これにより、心臓直上部に伝達される衝撃力、或いは、心臓直上部に衝撃力が伝達される確率を一層効果的に低減することができる。
【発明を実施するための最良の形態】
【００１５】
［第１実施形態］
図１〜図３は、球技時の心臓への衝撃による心臓震盪の発症を抑止する目的で、少なくとも心臓直上部Ａを被覆する状態で胸部に装着される心臓保護具の一例である球技用心臓保護具１を示し、この球技用心臓保護具１は、比較的硬質の合成樹脂（本例では、ポリカーボネイド）からなる保護具本体２の胸側（すなわち、内側）に、受止衝撃力（すなわち、球技時に外方から保護具本体２に加わる衝撃力）を胸部の心臓直上部Ａよりも心臓直上部Ａから外れた部位Ｂへ直接的に伝達する状態で、心臓直上部Ａから外れた部位Ｂを当て付け対象とする当て付け部３を構成してある。
【００１６】
前記保護具本体２は、装着時に胸部の心臓直上部Ａに対向配置される心臓直上部対向部位としての中央部位２Ａが、その側方の外縁部位２Ｂよりも胸側とは反対側に位置する凸形状、詳しくは、正面輪郭形状が円形状で、且つ、側面輪郭形状が略半球面形状のドーム型形状に構成してあり、外方からの衝撃力の一部を球面傾斜に沿って受け流すとともに中央部位２Ａの内側に空間Ｓが形成される構成にしてある。
【００１７】
また、保護具本体２の外縁部位２Ｂの端縁には、心臓直上部２Ａの直径よりも若干大なる直径の内側開口を備えるリング状の突出片３Ａを断面視中央向き略くの字状に屈曲する形態で一体成形するとともに、その突出片３Ａの胸側面には、突出片３Ａとほぼ同一形状の軟質材料（本例では、ＥＶＡ）からなる衝撃吸収材３Ｂを接着接合してあり、これら突出片３Ａと衝撃吸収材３Ｂとをもって、前記当て付け部３を構成してある。
【００１８】
つまり、当て付け部３は、本例では、胸部の心臓直上部Ａから外れた部位として心臓直上部Ａの外周囲部Ｂのみを当て付け対象とする構成にしてあり、受止衝撃力を心臓直上部Ａの外周囲部Ｂに伝達することで、質量や重量を特に増大することなしに心臓直上部Ａへの衝撃力の伝達を防止し、これにより、装着時の着用者への影響を極力小さなものとしながらも心臓震盪の発症を効果的に抑止する。
【００１９】
また、衝撃吸収材３Ｂの胸側面を当て付け面とすることで、受止衝撃力の一部を衝撃吸収材３Ｂで吸収するようにしてある。
【００２０】
前記保護具本体２の側面輪郭形状について、さらに詳しく説明すると、最も胸側とは反対側に位置する凸形状頂点部位２ａが縦方向中心線Ｃよりも腹側方（すなわち、下方）に位置する形状に形成してあり、凸形状頂点部位２ａが縦方向中心線Ｃやそれよりも首側方（すなわち、上方）に位置する場合に比して、凸形状頂点部位２ａから首側方の首側方部分の縦方向長さを長く確保して、その首側方部分の傾斜（つまり、凸形状頂点部位への上り傾斜）が緩やかになるようにしてある。
【００２１】
前記空間Ｓの胸側深さＤは、球技時の衝撃による保護具本体２の中央部位２Ａの胸側変位深さｄよりも大なる深さで形成してあり、これにより、外方からの衝撃による中央部位２Ａの変位によって保護具本体２と心臓直上部Ａとが接触するのを防止する。
【００２２】
なお、例えば、硬式野球と軟式野球とでは衝撃発生対象となるボールの硬さが相違するために衝撃値が異なるなど、球技時の衝撃値は球技種によって異なるものであるから、前記空間Ｓの深さＤは、球技種や衝撃発生対象（ボールやバット）、或いは、保護具本体２の硬さ、変位量などに応じて適宜設定すればよい。
【００２３】
前記保護具本体２における正面直径寸法Ｒは、１２ｃｍ未満では心臓直上部Ａに直接的に衝撃が伝達されてしまう虞があるし、反対に２５ｃｍよりも大きいと動作種によって腕が保護具本体２に触れてプレーに支障を来たしてしまうことから、１２ｃｍ〜２５ｃｍの範囲が好適であり、本例では、約２０ｃｍの直径寸法で形成してある。
【００２４】
また、保護具本体２の凸形状頂点部位２ａの頂点高さＨは、８ｍｍ〜３０ｍｍの範囲（さらに好ましくは、８ｍｍ〜１５ｍｍの範囲）が好適であり、本例では、約１５ｍｍの高さ寸法で形成してある。
【００２５】
図３は、球技用シャツの一例である伸縮性素材からなる野球用のアンダーシャツ５を示し、このアンダーシャツ５の胸相当部、詳しくは心臓相当箇所には、前記球技用心臓保護具１を挿脱可能なポケット部６をアンダーシャツ５と同一素材で形成してある。
【００２６】
前記ポケット部６は、球技用心臓保護具１の正面直径寸法Ｒよりも若干小さな横寸法で、且つ、正面直径寸法Ｒよりも若干大きな縦寸法で形成するとともに、その首側方（すなわち、上方）に球技用心臓保護具１の挿入口６ａを形成する構成にしてある。
【００２７】
前記挿入口６ａの上端部には、挿入口６ａを被覆閉塞可能な垂片状蓋６ｂを取り付けてある。この垂片状蓋６ｂの内側面とこれに相対向するポケット部６の外側面には、対をなす雄雌の面ファスナ６ｃの一方づつを夫々配設してあり、これら面ファスナー６ｃどうしの噛合によりポケット部６を閉塞保持できるようにしてある。
【００２８】
つまり、球技用心臓保護具１をポケット部６の挿入口６ａを通してポケット部６を伸張させながら挿入したのちに、垂片状蓋６ｂとポケット部６の外側面の面ファスナー６ｃどうしを噛合せて挿入口６ａを閉塞する（図３（イ）〜（ロ））ことにより、アンダーシャツ５に対する球技用心臓保護具１の位置がしっかり保持された状態で球技用心臓保護具１をアンダーシャツ５に取り付けることができる。
【００２９】
そして、球技者は、このアンダーシャツ５を着用することによって、別の専用取付具を用いることなく、球技用心臓保護具１が心臓直上部Ａを確実に被覆する状態で球技用心臓保護具１を容易且つ確実に身軽な状態で装着することができる。
【００３０】
また、休憩時や洗濯時など心臓に対する保護を必要としないときには、垂片状蓋６ｂとポケット部６の外側面の面ファスナー６ｃどうしの噛合を解いて挿入口６ａを開口したのちに、球技用心臓保護具１を挿入口６ａを通じてポケット部６から抜き出すことで、アンダーシャツ５から球技用心臓保護具１を容易に取り外すことができる。
【００３１】
［第２実施形態］
前述の実施形態では、保護具本体２を、正面輪郭形状が円形状で、且つ、側面輪郭形状が略半球面状のドーム型形状に構成していたが、この実施形態では、図４、図５に示すように、保護具本体２を、正面輪郭形状が円形状で、且つ、側面輪郭形状が胸部側とは反対側に階段状に突出する形状のドーム型形状に構成してある。
【００３２】
前記保護具本体２の側面輪郭形状について詳しく説明すると、環状の蹴上げ相当面部２ｄが胸直交方向に沿う形態で凸形状頂点部位２ａに向けて上下両側から階段状に突出する形状としてあり、外方からの衝撃力に対する被衝撃部位としての中央部位２Ａの体積を極力大きく確保して、単位体積当たりの衝撃力を低減するとともに、外方からの衝撃力の荷重向きに略等しい蹴上げ相当面部２ｄが衝撃力に対する抵抗体となって蹴上げ相当面部２ｄの分だけ中央部位２Ａの衝撃力に対する変形量を低減する。
【００３３】
前記保護具本体２の蹴上げ相当面部２ｄにおいて、保護具本体２の縦方向中心線Ｃよりも首方側に位置する複数箇所には、装着時に中央部位２Ａの内側に形成される空間Ｓの内外を連通する上向き開口の通気孔４を形成してある。
【００３４】
つまり、この複数の通気孔４を通じて空間Ｓ内部の換気を効果的に図るとともに、大きな衝撃力を受けたときに中央部位２Ａの内側への急激な変形により生じる通気孔への空気押込圧によって通気孔４に隣接する部分の破壊を誘発する。
【００３５】
なお、その他の構成は第１実施形態で説明した内容と同一であるから、同一の構成箇所には同一の番号を付してその説明は省略する。
【００３６】
［別実施形態］
次に本発明の別実施形態を列記する。
前述の各実施形態では、心臓保護具として球技用心臓保護具を例に示したが、球技用に限らず、格闘技など球技以外のスポーツ用心臓保護具であってもよく、また、日常的に装着される心臓保護具であってもよい。
【００３７】
前述の各実施形態では、胸部に対する当て付け部３は、心臓直上部から外れた部位（心臓直上部周囲部Ｂ）のみを当て付け対象とすることで、受止衝撃力を心臓直上部Ａよりも心臓直上部から外れた部位へ直接的に伝達する構成にしていたが、例えば、当て付け部３は、心臓直上部Ａよりも心臓直上部から外れた部位を面積的に広く当て付け対象とする構成にしたり、また、受止衝撃力の重心位置が心臓直上部から外れた部位に位置する状態で心臓直上部Ａと心臓直上部から外れた部位の両方を当て付け対象とする構成にしたり、或いは、これらを組み合わせて構成したりするなどのことで、受止衝撃力を心臓直上部Ａよりも心臓直上部から外れた部位へ直接的に伝達する構成にしてもよい。
【００３８】
前述の各実施形態では、球技用シャツとしてアンダーシャツ５を例に示したが、例えば、ユニフォームなどであってもよい。
【００３９】
前述の各実施形態では、球技用シャツ（アンダーシャツ５）に球技用心臓保護具１を挿脱可能なポケット部６を形成していたが、例えば、球技用シャツの胸部形成材の内部に球技用心臓保護具１を埋設固定するなどにより、球技用心臓保護具１と球技用シャツとを一体化してもよい。
【００４０】
前述の各実施形態では、球技用シャツを介して、球技用心臓保護具１が胸部に装着されていたが、例えば、図６に示すように、周知の固定ベルト７や伸縮性サポーターなどの装着具を介して、球技用心臓保護具１が胸部に装着されていてもよい。
【００４１】
前述の各実施形態では、保護具本体２を成型する比較的硬質の材料として合成樹脂を例に示したが、例えば、ＦＲＰなどであってもよい。
【００４２】
前述の各実施形態では、保護具本体２を成型する比較的硬質の合成樹脂としてポリカーボネイドを例に挙げて説明したが、例えば、ＡＢＳ、ＡＥＳ、ＰＰ、ＰＥ、ＰＥＴ、ＰＶＣなどであってもよい。
【００４３】
前述の各実施形態では、保護具本体２の中央部位２Ａの胸側に形成される空間Ｓに何も充填しない場合を例に示したが、例えば、ＥＶＡ、ＰＥ、ウレタン、発泡性ウレタン、オレフィン系エストラマーなどの軟質の充填材を空間Ｓに嵌装する構成にしてもよい。
【００４４】
その場合、軟質の充填材が心臓直上部Ａの保護材になるとともに、充填材と心臓直上部Ａとの接触により生じる摩擦抵抗によって心臓直上部Ａに対する中央部位２Ａの位置ズレを効果的に抑止する。
【００４５】
前述の各実施形態では、胸部に対する当て付け部３を構成する衝撃吸収材としてＥＶＡを例に示したが、例えば、ＰＥ、ウレタン、発泡性ウレタン、オレフィン系エストラマーなどであってもよい。
【００４６】
前述の各実施形態では、保護具本体２を、中央部位２Ａが外縁部位２Ｂよりも胸側とは反対側に位置する凸形状に構成する例を示したが、例えば、平面形状や凹面形状などであってもよい。
【００４７】
また、上述の如く、保護具本体２を平面形状や凹面形状に形成する場合において、当て付け部３の厚みを大きくすることで、中央部位２Ａの胸側に空間Ｓが形成される構成にしてもよい。
【００４８】
前述の各実施形態では、保護具本体２の正面輪郭形状を円形状に形成する例を示したが、例えば、角形状や楕円形状などであってもよい。
【００４９】
前述の実施形態では、球技用シャツに球技用心臓保護具１を挿脱可能なポケット部６を形成することで、球技用シャツと球技用心臓保護具１とを着脱自在に構成していたが、例えば、面ファスナー８（図７を参照のこと。）やボタン、ジッパーなどの取付具を採用することで、球技用シャツと球技用心臓保護具１とを着脱自在に構成してもよい。
【００５０】
前述の各実施形態では、胸部に対する当て付け部３をリング状に形成する例を示したが、例えば、当て付け部３は、Ｃ型形状や帯状形状或いは小孔状などであってもよく、また、複数又は多数を分散配置する構成にしてもよい。
【００５１】
前述の各実施形態では、中央部位２Ａの内側に形成される空間Ｓの内外を連通する通気孔４を複数形成する例を示したが、１個ないし多数形成してもよい。
【００５２】
上述の如く貫通孔４を多数形成する場合において、保護具本体１をメッシュ状に構成することで貫通孔４を多数形成する構成にしてもよい。
【００５３】
前述の各実施形態では、胸部の心臓直上部Ａから外れた部位として、心臓直上部Ａの外周部位Ｂを例に示したが、例えば、その外周囲部Ｂの外方であってよく、胸部の心臓直上部Ａ以外の部位であれば何処でもよい。
【符号の説明】
【００５４】
１          心臓保護具（球技用心臓保護具）
２Ａ        心臓直上部対向部位（中央部位）
３          当て付け部
３Ｂ        衝撃吸収材
Ｓ          空間
Ａ          心臓直上部
Ｂ          心臓直上部から外れた部位（心臓直上部の外周囲部）
【図面の簡単な説明】
【００５５】
【図１】本発明の球技用心臓保護具の第１実施形態を示す正面図
【図２】本発明の球技用心臓保護具の第１実施形態を示す側面断面図
【図３】本発明の球技用心臓保護具の装着例を示す説明図
【図４】本発明の球技用心臓保護具の第２実施形態を示す斜視図
【図５】本発明の球技用心臓保護具の第２実施形態を示す側面断面図
【図６】本発明の球技用心臓保護具の別の装着例を示す説明図
【図７】本発明の球技用心臓保護具の別の装着例を示す説明図
【図１】
0004820199.tif 000002
【図２】
0004820199.tif 000003
【図３】
0004820199.tif 000004
【図４】
0004820199.tif 000005
【図５】
0004820199.tif 000006
【図６】
0004820199.tif 000007
【図７】
0004820199.tif 000008